(57)【要約】【課題】  ユーザの手の大きさに係わらず、片手で良好に握ることができる携帯端末機を提供する。【解決手段】  表示部４が設けられた表面にユーザの母指Ｆ１で操作可能なキー操作部５が設けられた端末本体である機器ケース１と、この機器ケース１の端部に設けられ、機器ケース１の表面と裏面とに跨ってユーザの手で保持可能なグリップ部１４と、を備え、このグリップ部１４の裏面側に、ユーザの示指Ｆ２または中指Ｆ３が押し当てられる指掛部１５と、ユーザの薬指Ｆ４を通すことが可能な指通しバンド１６と、を備えている。従って、ユーザがキー操作部５を母指Ｆ１で操作すべく、母指Ｆ１をキー操作部５に被せるように、機器ケース１をキー操作部５の脇から片手で掴むように機器ケース１を保持するときに、ユーザの保持手の示指Ｆ２または中指Ｆ３を指掛部１６に押し当てて、保持手の薬指Ｆ４を指通しバンド１６に通して指掛部１５に押し当てることができる。【選択図】        図３
2018160622.tif 000002
【特許請求の範囲】
【請求項１】
表示部が設けられた第１の面にユーザの母指で操作可能なキー操作部が設けられた端末本体と、
前記端末本体の端部に設けられ、前記第１の面と、前記第１の面の裏面に位置する第２の面とにまたがって前記ユーザの手により保持可能なグリップ部と、
を備え、
前記グリップ部のうち前記第２の面側には、
ユーザが前記キー操作部を母指で操作すべく、前記ユーザが前記母指を前記キー操作部に被せるように且つ当該端末本体を前記キー操作部の脇から片手で掴むように当該端末本体を保持するときに、前記ユーザの保持手の中指または示指が押し当てられる指掛部と、
ユーザが前記キー操作部を母指で操作すべく、前記ユーザが前記母指を前記キー操作部に被せるように且つ当該端末本体を前記キー操作部の脇から片手で掴むように当該端末本体を保持するときに、前記ユーザの前記保持手の薬指または小指を通すことが可能な指通し部と、
が設けられていることを特徴とする携帯端末機。
【請求項２】
請求項１に記載の携帯端末機において、前記グリップ部のうち前記第２の面側は、前記指掛部に押し当てられる前記示指および前記中指と、前記指通し部に通された前記薬指とで保持されることを特徴とする携帯端末機。
【請求項３】
請求項１または請求項２に記載の携帯端末機において、前記指掛部は、
前記ユーザが前記キー操作部を前記母指で操作すべく、前記ユーザが前記母指を前記キー操作部に被せるように且つ当該端末本体を前記キー操作部の脇から片手で掴むように当該端末本体を保持するときに、前記ユーザの前記保持手の示指の腹が前記保持側に向けて押し当てられる第１の指掛領域と、
前記ユーザが前記キー操作部を前記母指で操作すべく、前記ユーザが前記母指を前記キー操作部に被せるように且つ当該端末本体を前記キー操作部の脇から片手で掴むように当該端末本体を保持するときに、前記ユーザの前記保持手の中指の腹が前記指掛部に前記第２の面方向に押し当てられる第２の指掛領域と、
を備えていることを特徴とする携帯端末機。
【請求項４】
請求項１〜請求項３のいずれかに記載の携帯端末機において、前記グリップ部のうち前記第２の面側は、前記端末本体に取り付ける電池蓋に設けられ、前記指通し部は、前記指掛部が設けられている箇所を除く前記電池蓋の端部に取り付けられていることを特徴とする携帯端末機。
【請求項５】
請求項１〜請求項４のいずれかに記載の携帯端末機において、前記指通し部は、伸縮性のある材料で形成されていることを特徴とする携帯端末機。
【請求項６】
請求項１〜請求項５のいずれかに記載の携帯端末機において、前記指通し部は、その中に通される前記薬指を前記指掛部の方向に巻き込むことを特徴とする携帯端末機。
【請求項７】
請求項１〜請求項６のいずれかに記載の携帯端末機において、前記指通し部は、前記ユーザの前記薬指と前記小指とが通る大きさに形成されていることを特徴とする携帯端末機。
【請求項８】
請求項１〜請求項７のいずれかに記載の携帯端末機において、前記指通し部は、その中に通された前記ユーザの指が自由に動けるように捩れることを特徴とする携帯端末機。
【発明の詳細な説明】
【技術分野】
【０００１】
この発明は、手に持って使用する携帯端末機に関する。
【背景技術】
【０００２】
例えば、手に持って使用する携帯端末機においては、特許文献１に記載されているように、機器ケースを握り易く、かつ入力操作し易くするために、機器ケースを握り易い湾曲形状に形成すると共に、機器ケースの裏面に指掛突起部を設け、この指掛突起部に示指を掛けた状態で、機器ケースを片手で握るように構成されたものが知られている。
【先行技術文献】
【特許文献】
【０００３】
【特許文献１】特開平１０−１１２８９１号公報
【０００４】
すなわち、この種の携帯端末機は、機器ケースの表面に設けられた操作部上に母指を載せ、機器ケースの裏面に設けられた指掛突起部に示指をピストルの引金に掛けるのと同じように引っ掛けることにより、機器ケースを片手で握った状態で、母指で操作部を操作すると共に、指掛突起部に設けられたスイッチキーを示指でキー操作するように構成されている。
【発明の概要】
【発明が解決しようとする課題】
【０００５】
しかしながら、このような携帯端末機では、これを使用するユーザの手の大きさがユーザごとに異なるため、機器ケースを片手で握る際に、機器ケースの縦方向と直交する幅方向の長さが長くなると、手の小さいユーザにとっては機器ケースが握りにくく機器ケースを確実に握ることができないという不都合がある。
【０００６】
また、このような携帯端末機では、指掛突起部に示指を引っ掛けた際に、示指によってスイッチキーが不用意に動作しないように軽く示指を指掛突起部に引っ掛ける必要があるため、機器ケースを片手で確実に握ることが難しいという不都合がある。
【０００７】
この発明が解決しようとする課題は、ユーザの手の大きさに係わらず、片手で良好に握ることができる携帯端末機を提供することである。
【課題を解決するための手段】
【０００８】
この発明は、表示部が設けられた第１の面にユーザの母指で操作可能なキー操作部が設けられた端末本体と、前記端末本体の端部に設けられ、前記第１の面と、前記第１の面の裏面に位置する第２の面とにまたがって前記ユーザの手により保持可能なグリップ部と、を備え、前記グリップ部のうち前記第２の面側には、ユーザが前記キー操作部を母指で操作すべく、前記ユーザが前記母指を前記キー操作部に被せるように且つ当該端末本体を前記キー操作部の脇から片手で掴むように当該端末本体を保持するときに、前記ユーザの保持手の中指または示指が押し当てられる指掛部と、ユーザが前記キー操作部を母指で操作すべく、前記ユーザが前記母指を前記キー操作部に被せるように且つ当該端末本体を前記キー操作部の脇から片手で掴むように当該端末本体を保持するときに、前記ユーザの前記保持手の薬指または小指を通すことが可能な指通し部と、が設けられていることを特徴とする携帯端末機である。
【発明の効果】
【０００９】
この発明によれば、ユーザの手の大きさに係わらず、片手で良好に握ることができる。
【図面の簡単な説明】
【００１０】
【図１】この発明を携帯端末機に適用した一実施形態を示した正面図である。
【図２】図１に示された携帯端末機の裏面図である。
【図３】図２に示された携帯端末機を左側から見た側面図である。
【図４】図１に示された携帯端末機を下辺側から見た側面図である。
【図５】図２に示された携帯端末機から電池蓋を取り外した状態を示した要部の拡大斜視図である。
【図６】図２に示された電池蓋を示し、（ａ）はその裏面図、（ｂ）はそれを左側から見た側面図、（ｃ）はそれを下辺側から見た側面図である。
【図７】図３に示された携帯端末機のグリップ部をユーザが握る際の握り方の変形例を示した斜視図である。
【発明を実施するための形態】
【００１１】
以下、図１〜図６を参照して、この発明を適用した携帯端末機の一実施形態について説明する。
この携帯端末機は、図１〜図５に示すように、端末本体である機器ケース１を備えている。この機器ケース１は、縦方向（図１では上下方向）に長い縦長の長方形状に形成されている。この機器ケース１は、上部ケース２と下部ケース３とを有し、これらの内部にモジュール（図示せず）が組み込まれるように構成されている。
【００１２】
上部ケース２は、図１および図３に示すように、上面が長方形のほぼ平板状に形成され、その外周の側面部が下部ケース３に取り付けられるように構成されている。この場合、上部ケース２の上面における上辺側に偏った箇所、例えば上部ケース２の上面における上辺側の３分の２程度の箇所には、表示部４が設けられており、その下辺側に偏った箇所、例えば上部ケース２の上面における下辺側の３分の１程度の箇所には、キー操作部５が設けられている。
【００１３】
表示部４は、図１に示すように、平面型の表示パネルであり、ほぼ長方形状に形成されている。この表示部４は、上部ケース２に設けられた表示窓部４ａに対応した状態で上部ケース２内に配置され、表示された情報が上部ケース２の上方から見えるように構成されている。キー操作部５は、テンキー、カーソルキー、ファンクションキーなどの携帯端末機に必要な各種のキーを備えている。この場合、キー操作部５は、その上辺の中間部にトリガーキー５ａが配置されている。
【００１４】
下部ケース３は、図２〜図４に示すように、その裏面がほぼ平坦状に形成され、縦方向（図２では長手方向）と直交する横方向の両側面部が裏面（図４では下面）に向けて円弧状に湾曲して形成され、この側面部の上部（図４では上部）に上部ケース２の側面部の下部が取り付けられるように構成されている。この下部ケース３の上辺部側に位置する裏面には、図２に示すように、光学読取部（図示せず）の読取窓部６が設けられている。
【００１５】
この場合、下部ケース３の上辺部側に位置する裏面側には、図２および図３に示すように、山形状に突出する読取突起部６ａが設けられている。この読取突起部６ａの上辺側の斜面には、読取窓部６が設けられている。また、光学読取部は、レーザ光線を下部ケース３の読取窓部６から機器ケース１の外部に出射させ、そのレーザ光線の反射光を受光することにより、物品のバーコードなどを読み取るように構成されている。
【００１６】
また、この下部ケース３の縦方向（図２では上下方向）におけるほぼ中間部には、図２に示すように、外部接続部（図示せず）を開閉可能に塞ぐ接続蓋７が取り付けられている。さらに、この下部ケース３の縦方向におけるほぼ中間部に位置する両側部には、トリガーキー８がそれぞれ設けられている。これらトリガーキー８およびキー操作部５のトリガーキー５ａは、光学読取部による読取動作を実行させるためのものである。
【００１７】
また、この下部ケース３の下辺部側には、図２〜図５に示すように、電池蓋１０が着脱可能に取り付けられる電池収納部１１がキー操作部５に対応して設けられている。この電池収納部１１は、充電池１２を収納するものであり、上部ケース２の下辺側に設けられたキー操作部５に対応した状態で、下部ケース３の内部に設けられて裏面側に開放されている。
【００１８】
この場合、電池収納部１１の縁部には、図２および図５に示すように、電池蓋１０を電池収納部１１に着脱可能に取り付けるための複数の取付レバー１３が設けられている。これら複数の取付レバー１３は、回転操作することにより、電池蓋１０の縁部を電池収納部１１の縁部に係脱可能に係止するように構成されている。
【００１９】
ところで、機器ケース１の下辺部側に位置する端部には、図１〜図４に示すように、機器ケース１の第１の面である表面と、その裏面側に位置する第２の面である裏面とに跨ってユーザの手により保持可能なグリップ部１４が設けられている。このグリップ部１４のうち裏面側には、機器ケース１に取り付けられる電池蓋１０が設けられている。
【００２０】
この電池蓋１０は、図２〜図４、図６に示すように、キー操作部５に対応する電池収納部１１を開閉可能に塞ぐように構成されている。この電池蓋１０は、下部ケース３の両側部から裏面側に向けて緩やかに湾曲して突出する湾曲形状に形成されている。これにより、グリップ部１４は、ユーザが握り易いように構成されている。
【００２１】
すなわち、このグリップ部１４のうち、機器ケース１の裏面側に位置する電池蓋１０には、図２、図３および図６に示すように、ユーザの保持手の母指Ｆ１を除く他の指Ｆ２〜Ｆ５が押し当てられる指掛部１５と、ユーザの保持手の薬指Ｆ４を通すことが可能な指通しバンド１６と、が設けられている。このグリップ部１４は、指掛部１５に押し当てられた示指Ｆ２および中指Ｆ３と、指通しバンド１６に通された薬指Ｆ４とで保持されるように構成されている。
【００２２】
この場合、指掛部１５は、図２および図３に示すように、示指Ｆ２が押し当てられる第１の指掛領域１７と、中指Ｆ３が押し当てられる第２の指掛領域１８と、を備えている。第１の指掛領域１７は、機器ケース１の裏面側に向けて読取突起部６ａよりも突出する第１の突出領域である。第２の指掛領域１８は、第１の指掛領域１７から電池蓋１０の下辺側に向けて緩やかに傾斜する第２の突出領域である。
【００２３】
第１の指掛領域１７は、図２および図３に示すように、ユーザがキー操作部５を母指Ｆ１で操作すべく、ユーザが母指Ｆ１をキー操作部５に被せるように且つ機器ケース１をキー操作部５の脇から片手で掴むように機器ケース１を保持するときに、保持手の示指Ｆ２の腹が電池蓋１０の縦方向における下辺部側、つまりユーザの保持手側に向けて押し当てられてユーザが力を込めることが可能な側面である指当部１７ａを有している。
【００２４】
この指当部１７ａは、図２および図３に示すように、電池蓋１０の縦方向における第１の指掛領域１７の上辺側に急な傾斜面で立ち上がる立上り面である。また、この指当部１７ａは、機器ケース１の縦方向（長手方向）と直交する方向に沿って示指Ｆ２の屈曲状態に対応する円弧状に湾曲して形成されている。
【００２５】
このため、この指掛部１５は、図２および図３に示すように、ユーザが機器ケース１のグリップ部１４を片手で握る際に、ユーザの保持手の示指Ｆ２が屈曲した形状で示指Ｆ２の腹が指当部１７ａにその湾曲に沿って押し当てられ、この状態で機器ケース１をその縦方向における下辺部側、つまり保持手側に向けて引き寄せるように構成されている。
【００２６】
第２の指掛領域１８は、図２および図３に示すように、ユーザがキー操作部５を母指Ｆ１で操作すべく、ユーザが母指Ｆ１をキー操作部５に被せるように且つ機器ケース１をキー操作部５の脇から片手で掴むように機器ケース１を保持するときに、ユーザの保持手の他の指Ｆ３〜Ｆ５の各腹が電池蓋１０を機器ケース１に向けて押し当ててユーザが力を込めることが可能な湾曲面に形成されている。
【００２７】
すなわち、この第２の指掛領域１８は、図２、図３および図６に示すように、第１の指掛領域１７の指当部１７ａが位置する上辺部から下辺側に向けて緩やかに傾斜する湾曲面に形成されている。また、この第２の指掛領域１８には、ユーザの保持手の中指Ｆ３の位置を規制する指規制凹部１８ａが設けられている。
【００２８】
これにより、第２の指掛領域１８は、図２、図３および図６に示すように、ユーザが機器ケース１のグリップ部１４を片手で握る際に、指規制凹部１８ａに保持手の中指Ｆ３が配置されて位置規制されることにより、第２の指掛領域１８上に配置される保持手の薬指Ｆ４の側部を中指Ｆ３の側部に押し当てて並べると共に、保持手の小指Ｆ５の側部を薬指Ｆ４の側部に押し当てて並べた状態で、薬指Ｆ４と小指Ｆ５との各腹を第２の指掛領域１８の湾曲面に沿って安定させた状態で良好に配置させるように構成されている。
【００２９】
一方、指通しバンド１６は、図２〜図４、図６に示すように、伸縮性のある材料、例えばゴムを編み込んだ布状のバンドである。この指通しバンド１６は、指掛部１５が設けられている箇所を除く電池蓋１０の下辺部側の端部に取り付けられている。すなわち、この指通しバンド１６は、その両端部が電池蓋１０の下辺部側の端部に設けられたバンド取付部１０ａに取り付けられることにより、伸縮自在な輪になる形状をなすように構成されている。
【００３０】
この場合、指通しバンド１６は、図２、図３および図６に示すように、その大きさがユーザの保持手の薬指Ｆ４と小指Ｆ５とが通る大きさに形成されている。また、この指通しバンド１６は、その中に通される保持手の薬指Ｆ４を電池蓋１０の指掛部１５の方向に巻き込むと共に、指通しバンド１６の中に通されたユーザの薬指Ｆ４を自由に動かすために捩れるように構成されている。
【００３１】
これにより、指通しバンド１６は、図２、図３および図６に示すように、ユーザが機器ケース１のグリップ部１４を片手で握る際に、薬指Ｆ４を指通しバンド１６に通した状態で、第２の指掛領域１８上に薬指Ｆ４と小指Ｆ５との各腹が指通しバンド１６を押え付けて配置されるように構成されている。
【００３２】
すなわち、このグリップ部１４は、図２および図３に示すように、キー操作部５を母指Ｆ１で操作すべく、ユーザが母指Ｆ１をキー操作部５に被せるように且つ機器ケース１をキー操作部５の脇から片手で掴むように機器ケース１を保持するときに、ユーザが保持手の薬指Ｆ４を指通しバンド１６に通して、小指Ｆ５で指通しバンド１６を指掛部１５の第２の指掛領域１８上に押え付けた状態で、他の指Ｆ３〜Ｆ５の各腹で電池蓋１０を機器ケース１に向けて押し当ててユーザが力を込めて握れるように構成されている。
【００３３】
この場合、指通しバンド１６は、図２および図３に示すように、ユーザの保持手の薬指Ｆ４が挿入されていることにより、機器ケース１から保持手の全て指Ｆ１〜Ｆ５が不用意に離れても、ユーザの保持手から機器ケース１が脱落するのを防ぐように構成されている。
【００３４】
また、グリップ部１４の裏面側に位置する電池蓋１０の表面には、図３および図６に示すように、多数の溝や多数の凹凸などの滑止め部１４ａが設けられている。また、この電池蓋１０の指掛部１５は、機器ケース１の縦方向と直交する横方向における中心位置を軸として左右対称な形状に形成されている。これにより、クリップ部１４は、ユーザが右手でも左手も握れるようになっている。
【００３５】
次に、このような携帯端末機の作用について説明する。
この携帯端末機を使用する場合には、機器ケース１の下辺部側に設けられた電池収納部１１に取り付けられた電池蓋１０が位置する箇所のグリップ部１４をユーザが片手で握る。このときには、まず、グリップ部１４の電池蓋１０に取り付けられた指通しバンド１６にユーザが保持手の薬指Ｆ４を通す。
【００３６】
この状態で、母指Ｆ１を機器ケース１の表面のキー操作部５上に配置させ、示指Ｆ２の腹を機器ケース１の裏面側に位置する電池蓋１０の指掛部１５における第１の指掛領域１７の指当部１７ａに押し当て、他の指Ｆ３〜Ｆ５の各腹を指掛部１５の第２の指掛領域１８上に配置させて、機器ケース１の下辺部側に位置するグリップ部１４を握る。
【００３７】
すなわち、このときには、ユーザがキー操作部５を母指Ｆ１で操作すべく、ユーザが母指Ｆ１をキー操作部５に被せるように且つ機器ケース１をキー操作部５の脇から片手で掴むように機器ケース１を保持すると共に、保持手の示指Ｆ２の腹を電池蓋１０の指掛部１５における第１の指掛領域１７の指当部１７ａに押し当て、この状態で第１の指掛領域１７の縦方向における下辺部側、つまり保持手側に向けてユーザが力を込める。
【００３８】
この場合、示指Ｆ２の腹が電池蓋１０の指掛部１５における第１の指掛領域１７の指当部１７ａに押し当てられて第１の指掛領域１７の縦方向における下辺部側、つまり保持手側に向けてユーザが力を込めると、示指Ｆ２が屈曲した形状で示指Ｆ２の腹が指当部１７ａにその湾曲に沿って押し当てられるので、機器ケース１がその縦方向における下辺部側に位置する保持手側に向けて引き寄せられる。
【００３９】
また、このときには、ユーザが母指Ｆ１をキー操作部５に被せるように且つ機器ケース１をキー操作部５の脇から片手で掴むように機器ケース１を保持すると共に、ユーザが保持手の他の指Ｆ３〜Ｆ５の各腹が指掛部１５の第２の指掛領域１８上に配置され、これらの指Ｆ３〜Ｆ５の各腹で第２の指掛領域１８を機器ケース１に向けて押し当てて力を込める。
【００４０】
すると、保持手の中指Ｆ３が第２の指掛領域１８上に押え付けられると共に、保持手の薬指Ｆ４が挿入された指通しバンド１６が薬指Ｆ４の腹で指掛部１５の第２の指掛領域１８上に押え付けられ、かつ小指Ｆ５の腹が指通しバンド１６を第２の指掛領域１８上に押え付ける。
【００４１】
これにより、指通しバンド１６に挿入された保持手の薬指Ｆ４の側部が保持手の中指Ｆ３の側部に押し付けられて並ぶと共に、指通しバンド１６を第２の指掛領域１８上に押え付けた保持手の小指Ｆ５の側部が保持手の薬指Ｆ４の側部に押し付けられて並ぶ。この状態で、指Ｆ３〜Ｆ５の各腹が第２の指掛領域１８の湾曲面に沿って安定させた状態で良好に配置される。これらによって、ユーザが片手で機器ケース１のグリップ部１４を確実にかつ良好に保持することができる。
【００４２】
また、このようにユーザが機器ケース１のグリップ部１４を握る際には、第２の指掛領域１８に設けられた指規制凹部１８ａに中指Ｆ３が配置されて位置規制されることにより、第２の指掛領域１８上に配置される薬指Ｆ４と小指Ｆ５との各腹が第２の指掛領域１８に対して縦方向に位置規制され、機器ケース１を握った手が機器ケース１に対して縦方向に位置ずれすることがなく、良好に機器ケース１のグリップ部１４を保持することができる。
【００４３】
このため、例えば、手の大きさが小さいユーザが機器ケース１のグリップ部１４を握る際には、下部ケース３の両側部から裏面側に向けて緩やかに湾曲して突出する湾曲形状に形成されていることにより、機器ケース１の長手方向と直交する横方向の幅が広くても、その幅よりも短い長さで機器ケース１のグリップ部１４を握ることができると共に、指通しバンド１６に薬指Ｆ４を通すことができるので、手の大きさが小さいユーザでも確実にかつ良好に機器ケース１のグリップ部１４を握ることができる。
【００４４】
また、ユーザが機器ケース１のグリップ部１４を片手で握る際には、指掛部１５が機器ケース１の横方向における中心位置を軸にして左右対称な形状に形成されていることにより、ユーザが右手でも左手でも機器ケース１のグリップ部１４を確実にかつ良好に握ることができる。
【００４５】
このようにユーザが機器ケース１のグリップ部１４を握った際には、母指Ｆ１が表示部４を遮ることなくキー操作部５上に配置されるので、表示部４に表示された情報を見ながら、母指Ｆ１をキー操作部５上において自由に移動させて、キー操作部５を良好にキー操作することができる。
【００４６】
さらに、この機器ケース１のグリップ部１４は、下部ケース３の両側部から裏面側に向けて緩やかに湾曲して突出する湾曲形状に形成されていることにより、機器ケース１のグリップ部１４を片手で握った際に、手にフィットする。この場合、機器ケース１のグリップ部１４を握った際には、電池蓋１０の表面に設けられた多数の溝や多数の凹凸などの滑止め部１４ａによって、機器ケース１に対して手が不用意に滑らないように、良好に機器ケース１のグリップ部１４を握ることができる。
【００４７】
このように、この携帯端末機によれば、表示部４が設けられた第１の面である表面にユーザの母指Ｆ１で操作可能なキー操作部５が設けられた端末本体である機器ケース１と、この機器ケース１の下辺部側に位置する端部に設けられて、機器ケース１の表面とその裏面側に位置する第２面である裏面とに跨ってユーザの手により保持可能なグリップ部１４と、を備え、このグリップ部１４の裏面側には、ユーザの保持手の母指Ｆ１を除く他の指Ｆ２〜Ｆ５が押し当てられる指掛部１５と、保持手の薬指Ｆ４を通すことが可能な指通しバンド１６と、が設けられていることにより、ユーザの手の大きさに係わらず、片手で良好に握ることができる。
【００４８】
すなわち、この携帯端末機では、ユーザがキー操作部５を母指Ｆ１で操作すべく、ユーザが母指Ｆ１をキー操作部５に被せるように且つ機器ケース１をキー操作部５の脇から片手で掴むように機器ケース１を保持する際に、保持手の他の指Ｆ２〜Ｆ５をグリップ部１４の指掛部１５に押し当てることができると共に、指通しバンド１６に通された保持手の薬指Ｆ４を指通しバンド１６と共にグリップ部１４の指掛部１５に押し当てることができるので、ユーザが手の大きさに係わらずにグリップ部１４を確実に保持することができる。
【００４９】
このため、この携帯端末機では、機器ケース１の第１の面である表面における縦方向上側に偏った位置に表示部４が設けられていることにより、ユーザが母指Ｆ１をキー操作部５に被せるように且つ機器ケース１をキー操作部５の脇から片手で掴むように機器ケース１を保持した際に、母指Ｆ１が表示部４を遮ることなくキー操作部５上に配置されるので、表示部４に表示された情報を見ながら、母指Ｆ１をキー操作部５上において自由に移動させて、キー操作部５を良好にキー操作することができる。
【００５０】
これにより、この携帯端末機では、ユーザが母指Ｆ１をキー操作部５に被せるように且つ機器ケース１をキー操作部５の脇から片手で掴むように機器ケース１を保持した際に、グリップ部１４の裏面側が、指掛部１５に押し当てられるユーザの保持手の示指Ｆ２および中指Ｆ３と、指通しバンド１６に通された薬指Ｆ４とで保持されることにより、ユーザがグリップ部１４を良好に保持することができる。
【００５１】
このため、この携帯端末機では、ユーザが片手で機器ケース１を確実にかつ良好に握ることができると共に、ユーザの保持手の薬指Ｆ４が指通しバンド１６に挿入されているので、機器ケース１から保持手の全て指Ｆ１〜Ｆ５を不用意に離しても、ユーザの保持手から機器ケース１が脱落するのを確実にかつ未然に防ぐことができる。
【００５２】
また、この携帯端末機では、指掛部１５が、保持手の示指Ｆ２の腹が押し当てられる第１の指掛領域１７と、保持手の中指Ｆ３の腹が押し当てられる第２の指掛領域１８と、を備えていることにより、保持手の示指Ｆ２の腹をグリップ部１４の縦方向における下辺部側、つまり保持手側に向けて第１の指掛領域１７に押し当てることができると共に、保持手の中指Ｆ３の腹を第２の指掛領域１８に押し当てた状態で、保持手の他の指Ｆ４、Ｆ５の各腹で第２の指掛領域１８を機器ケース１に向けて押し当ててユーザが力を込めることができるので、ユーザが片手で機器ケース１のグリップ部１４を良好に保持することができる。
【００５３】
すなわち、第１の指掛領域１７は、キー操作部５を母指Ｆ１で操作すべく、ユーザが母指Ｆ１をキー操作部５に被せるように且つ機器ケース１をキー操作部５の脇から片手で掴むように機器ケース１を保持するときに、保持手の示指Ｆ２の腹が電池蓋１０の縦方向における下辺部側に位置する保持手側に向けて第１の指掛領域１７に押し当てられてユーザが力を込めることが可能な側面である指当部１７ａを有しているので、機器ケース１をユーザが片手で確実にかつ良好に保持することができる。
【００５４】
この場合、指掛部１５の第１の指掛領域１７は、その立上り面である指当部１７ａが機器ケース１の縦方向（長手方向）と直交する方向に沿って示指Ｆ２の屈曲状態に対応する円弧状に湾曲して形成されているので、ユーザが母指Ｆ１をキー操作部５に被せるように且つ機器ケース１をキー操作部５の脇から片手で掴むように機器ケース１を保持するときに、保持手の示指Ｆ２を屈曲させて指当部１７ａにその湾曲に沿って配置させることができ、これによりユーザの手が小さくても、示指Ｆ２を指当部１７ａに良好に押し当てて機器ケース１の縦方向における下辺側に向けて確実に引き寄せることができる。
【００５５】
一方、第２の指掛領域１８は、キー操作部５を母指Ｆ１で操作すべく、ユーザが母指Ｆ１をキー操作部５に被せるように且つ機器ケース１をキー操作部５の脇から片手で掴むよう機器ケース１を保持するときに、ユーザが保持手の他の指Ｆ３〜Ｆ５の各腹で第２の突出領域１８を機器ケース１に押し付ける方向に向けてユーザが力を込めることが可能な湾曲面に形成されているので、母指Ｆ１と示指Ｆ２とを除く、他の指Ｆ３〜Ｆ５を違和感なく安定させた状態で第２の指掛領域１８上に配置させて押し当てることができ、これによっても機器ケース１を良好に保持することができる。
【００５６】
この場合、指掛部１５の第２の指掛領域１８には、中指Ｆ３の位置を規制する指規制凹部１８ａが設けられていることにより、機器ケース１のグリップ部１４を片手で握る際に、指規制凹部１８ａに中指Ｆ３を配置させて位置規制することができる。このため、第２の指掛領域１８上に配置される薬指Ｆ４と小指Ｆ５とを安定させた状態で配置させることができるので、機器ケース１のグリップ部１４を握った手が機器ケース１に対して縦方向に位置ずれすることがなく、良好に機器ケース１を保持することができる。
【００５７】
また、この携帯端末機では、グリップ部１４の裏面側が機器ケース１に取り付けられる電池蓋１０に設けられていることにより、指掛部１５を機器ケース１に設ける必要がないので、機器ケース１の形状が簡単になり、機器ケース１を容易に製作することができると共に、指掛部１５を電池蓋１０に設けているので、指掛部１５を電池蓋１０と共に容易に製作することができる。
【００５８】
この場合、指通しバンド１６は、指掛部１５が設けられている箇所を除く電池蓋１０の下辺部側に位置する端部に設けられたバンド取付部１０ａに取り付けられていることにより、これによっても指通しバンド１６を機器ケース１に設ける必要がないので、機器ケース１の構造が簡単なり、指通しバンド１６を電池蓋１０に容易に取り付けることができる。
【００５９】
また、この携帯端末機では、指通しバンド１６が伸縮性のある材料、例えばゴムを編み込んだ布状のバンドであることにより、指通しバンド１６に薬指Ｆ４を挿入させた状態で、指通しバンド１６を屈曲させて薬指Ｆ４の腹を指通しバンド１６と共に指掛部１５の第２の指掛領域１８に押し当てることができると共に、小指Ｆ５の腹で指通しバンド１６を指掛部１５の第２の指掛領域１８に押し当てることができるので、指通しバンド１６を薬指Ｆ４の外周に巻き付けて固定させることができ、これにより機器ケース１のグリップ部１４を確実にかつ良好に保持することができる。
【００６０】
この場合、指通しバンド１６は、その中に通される薬指Ｆ４を指掛部１５の方向に巻き込むことにより、指通しバンド１６に挿入された薬指Ｆ４の側部を指掛部１５の第２の指掛領域１８に押し当てられた中指Ｆ３の側部に押し当てて並べることができるので、これによっても指通しバンド１６を薬指Ｆ４の外周に巻き付けて固定させることができ、これにより機器ケース１のグリップ部１４を良好に握ることができると共に、グリップ部１４を安定した状態で確実にかつ良好に保持することができる。
【００６１】
また、指通しバンド１６は、ユーザの保持手の薬指Ｆ４と小指Ｆ５とが通る大きさに形成されていることにより、指通しバンド１６に薬指Ｆ４を容易にかつ速やかに挿入させることができるほか、指通しバンド１６に薬指Ｆ４と小指Ｆ５との２本の指を挿入させることができるので、これら薬指Ｆ４と小指Ｆ５との２本の指を指通しバンド１６に挿入させた状態で、薬指Ｆ４と小指Ｆ５との各腹を指掛部１５の第２の指掛領域１８に良好に押し当てることができる。
【００６２】
この場合、指通しバンド１６は、その中に通されたユーザの薬指Ｆ４または薬指Ｆ４と小指Ｆ５との２本の指が自由に動けるように捩れることにより、指通しバンド１６に挿入されたユーザの薬指Ｆ４または薬指Ｆ４と小指Ｆ５との２本の指で、指通しバンド１６を自由に捩って、指通しバンド１６に挿入された薬指Ｆ４または小指Ｆ５を自由に動かして指掛部１５の第２の指掛領域１８に確実に押し当てることができるので、これによってもグリップ部１４を確実にかつ良好に保持することができる。
【００６３】
なお、上述した実施形態では、指通しバンド１６に通した薬指Ｆ４の側部を指掛部１５の第２の指掛領域１８に押し当てられた中指Ｆ３の側部に向けて押し当てるように並べてグリップ部１４を保持する場合について述べたが、この発明はこれに限らず、例えば図７に示す変形例のように、指通しバンド１６に通した薬指Ｆ４を折り曲げて電池蓋１０を機器ケース１に向けて押し当てるようにして、グリップ部１４を保持しても良い。
【００６４】
この場合のグリップ部１４の握り方は、実施形態と同様、キー操作部５を母指Ｆ１で操作すべく、ユーザが母指Ｆ１をキー操作部５に被せるように且つ機器ケース１をキー操作部５の脇から片手で掴むよう機器ケース１を保持するときに、保持手の他の指Ｆ２〜Ｆ５をグリップ部１４の指掛部１５に押し当てる状態で、指通しバンド１６に通された保持手の薬指Ｆ４を折り曲げて指通しバンド１６を薬指Ｆ４の付根側に引き寄せる。
【００６５】
この場合には、指通しバンド１６に通された保持手の薬指Ｆ４を折り曲げて、指通しバンド１６を薬指Ｆ４の付根側に向けて強く引き寄せ、この引き寄せた薬指Ｆ４で電池蓋１０を機器ケース１に向けて押し当てる。この状態で、ユーザが薬指Ｆ４に力を込めて指通しバンド１６を引き寄せると、薬指Ｆ４が電池蓋１０を機器ケース１に向けて押し付けるので、上述した実施形態の場合の握り方よりも、グリップ部１４を強い力で確実に保持することができる。
【００６６】
なおまた、上述した実施形態およびその変形例では、機器ケース１の上面に表示部４とキー操作部５とを設けた場合について述べたが、この発明はこれに限らず、例えばキー操作部を透明なタッチパネルで形成して表示パネルを積層させた入力表示部であっても良い。
【００６７】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６８】
（付記）
請求項１に記載の発明は、表示部が設けられた第１の面にユーザの母指で操作可能なキー操作部が設けられた端末本体と、前記端末本体の端部に設けられ、前記第１の面と、前記第１の面の裏面に位置する第２の面とにまたがって前記ユーザの手により保持可能なグリップ部と、を備え、前記グリップ部のうち前記第２の面側には、ユーザが前記キー操作部を母指で操作すべく、前記ユーザが前記母指を前記キー操作部に被せるように且つ当該端末本体を前記キー操作部の脇から片手で掴むように当該端末本体を保持するときに、前記ユーザの保持手の中指または示指が押し当てられる指掛部と、ユーザが前記キー操作部を母指で操作すべく、前記ユーザが前記母指を前記キー操作部に被せるように且つ当該端末本体を前記キー操作部の脇から片手で掴むように当該端末本体を保持するときに、前記ユーザの前記保持手の薬指または小指を通すことが可能な指通し部と、が設けられていることを特徴とする携帯端末機である。
【００６９】
請求項２に記載の発明は、請求項１に記載の携帯端末機において、前記グリップ部のうち前記第２の面側は、前記指掛部に押し当てられる前記示指および前記中指と、前記指通し部に通された前記薬指とで保持されることを特徴とする携帯端末機である。
【００７０】
請求項３に記載の発明は、請求項１または請求項２に記載の携帯端末機において、前記指掛部は、前記ユーザが前記キー操作部を前記母指で操作すべく、前記ユーザが前記母指を前記キー操作部に被せるように且つ当該端末本体を前記キー操作部の脇から片手で掴むように当該端末本体を保持するときに、前記ユーザの前記保持手の示指の腹が前記保持側に向けて押し当てられる第１の指掛領域と、前記ユーザが前記キー操作部を前記母指で操作すべく、前記ユーザが前記母指を前記キー操作部に被せるように且つ当該端末本体を前記キー操作部の脇から片手で掴むように当該端末本体を保持するときに、前記ユーザの前記保持手の中指の腹が前記指掛部に前記第２の面方向に押し当てられる第２の指掛領域と、を備えていることを特徴とする携帯端末機である。
【００７１】
請求項４に記載の発明は、請求項１〜請求項３のいずれかに記載の携帯端末機において、前記グリップ部のうち前記第２の面側は、前記端末本体に取り付ける電池蓋に設けられ、前記指通し部は、前記指掛部が設けられている箇所を除く前記電池蓋の端部に取り付けられていることを特徴とする携帯端末機である。
【００７２】
請求項５に記載の発明は、請求項１〜請求項４のいずれかに記載の携帯端末機において、前記指通し部は、伸縮性のある材料で形成されていることを特徴とする携帯端末機である。
【００７３】
請求項６に記載の発明は、請求項１〜請求項５のいずれかに記載の携帯端末機において、前記指通し部は、その中に通される前記薬指を前記指掛部の方向に巻き込むことを特徴とする携帯端末機である。
【００７４】
請求項７に記載の発明は、請求項１〜請求項６のいずれかに記載の携帯端末機において、前記指通し部は、前記ユーザの前記薬指と前記小指とが通る大きさに形成されていることを特徴とする携帯端末機である。
【００７５】
請求項８に記載の発明は、請求項１〜請求項７のいずれかに記載の携帯端末機において、前記指通し部は、その中に通された前記ユーザの指が自由に動けるように捩れることを特徴とする携帯端末機である。
【符号の説明】
【００７６】
１  機器ケース
２  上部ケース
３  下部ケース
４  表示部
５  キー操作部
１０  電池蓋
１０ａ  バンド取付部
１１  電池収納部
１４  グリップ部
１４ａ  滑止め部
１５  指掛部
１６  指通しバンド
１７  第１の指掛領域
１７ａ  指当部
１８  第２の指掛領域
１８ａ  指規制凹部
【図１】
2018160622.tif 000003
【図２】
2018160622.tif 000004
【図３】
2018160622.tif 000005
【図４】
2018160622.tif 000006
【図５】
2018160622.tif 000007
【図６】
2018160622.tif 000008
【図７】
2018160622.tif 000009